(57)【要約】ヒトの母乳を搾り出すための乳房シールドユニットが、ヒトの乳頭を受容するための受容部（１０）と、前記乳頭に負圧を印加するための負圧室（４０）と、前記負圧室（４０）に負圧を発生させるための膜（３）とを有し、前記受容部（１０）はこの負圧室（４０）に開いている。前記膜（３）は１枚又は複数枚に設計され、少なくとも部分的に前記受容部（１０）を取り囲む。この乳房シールドユニットは、乳房に近接する領域での媒体の分離を可能にする。これは小型で洗浄が容易であり、特にハンズフリーの乳房シールドユニットとしての使用に適している。【選択図】図３
2014529312.tif 000002
【特許請求の範囲】
【請求項１】
ヒトの母乳を搾り出すための乳房シールドユニットであって、
ヒトの乳頭を受容するための受容部（１０）と、
前記乳頭に負圧を印加するための        負圧室（４０）と、
前記負圧室（４０）に負圧を発生させるための膜（３）と、
を有し、前記受容部（１０）は前記負圧室（４０）に開口する乳房シールドユニットにおいて、
前記膜（３）が１枚又は複数枚に設計され、少なくとも部分的に前記受容部（１０）を取り囲むことを特徴とする、乳房シールドユニット。
【請求項２】
ヒトの母乳を搾り出すための乳房シールドユニットであって、
乳頭を受容するための受容部（１０）と、
前記乳頭に負圧を印加するための        負圧室（４０）と、
前記負圧室（４０）に負圧を発生させるための膜（３）と、
を有し、前記受容部（１０）は中心軸（Ａ）を画定し、前記負圧室（４０）に開口する乳房シールドユニットにおいて、
前記中心軸（Ａ）の延長方向に見て、前記膜（３）が前記負圧室（４０）の前記乳頭に面する側に配置されることを特徴とする、乳房シールドユニット。
【請求項３】
ヒトの母乳を搾り出すための乳房シールドユニットであって、
母親の乳房の乳頭を受容するための受容部（１０）と、
前記乳頭に負圧を印加するための        負圧室（４０）と、
前記負圧室（４０）をミルク収集容器（７、７’）に接続するためのミルクポート（４５）と、
前記負圧室（４０）に負圧を発生させるための膜（３）と、
を有し、前記受容部（１０）は中心軸（Ａ）を画定し、前記負圧室（４０）に開口する乳房シールドユニットにおいて、
前記中心軸（Ａ）の延長方向に見て、前記膜（３）が前記ミルクポート（４５）の前記母親の乳房に面する側に配置されることを特徴とする、乳房シールドユニット。
【請求項４】
前記膜（３）が円又は部分的円の形状の開口部を取り囲む、請求項１〜３のいずれか１項に記載の乳房シールドユニット。
【請求項５】
前記膜（３）が１枚に形成され、円環形状であることを特徴とする、請求項４に記載の乳房シールドユニット。
【請求項６】
前記膜（３）が少なくとも２つの個別のパーツ（３’、３’’、３’’’）を有し、組み立てられた状態の前記個別のパーツ（３’、３’’、３’’’）が円又は部分的円を包囲する、請求項４に記載の乳房シールドユニット。
【請求項７】
乳房側膜ハウジング部（２）と乳房から遠い膜ハウジング部（４）を有し、これらの膜ハウジング部（２、４）が共通の膜ハウジングを形成し、前記膜（３）がこれらの２つの膜ハウジング部（２、４）の間に移動可能に保持される、請求項１〜６のいずれか１項に記載の乳房シールドユニット。
【請求項８】
前記膜（３）が静止位置で円錐台形状である、請求項１〜７のいずれか１項に記載の乳房シールドユニット。
【請求項９】
母親の乳房に置くための乳房接触面（１）を有し、この乳房接触面（１）を前記膜（３）を包囲するハウジングシェル（６）に固定させることができる、請求項１〜８のいずれか１項に記載の乳房シールドユニット。
【請求項１０】
前記乳房接触面（１）が前記乳頭を受容するための円錐台形状又は円筒形状の第一のスタブ（１０）を有し、この第一のスタブ（１０）を前記負圧室（４０）の第二のスタブ（４４）に接続させることができ、この第一のスタブ（１０）と前記第二のスタブ（４４）が前記受容部を形成する、請求項９に記載の乳房シールドユニット。
【請求項１１】
前記乳房シールドユニットに一体化されたミルク収集容器（７’）を有し、前記ミルク収集容器（７’）が前記乳房シールドユニットの残りの部分に取り外し可能に配置される、請求項１〜１０のいずれか１項に記載の乳房シールドユニット。
【請求項１２】
真空ポンプ（８、８１）に接続させることができる真空ポート（２０）を有し、前記膜（３）が前記真空ポート（２０）を前記負圧室（４０）から分離する、請求項１〜１１のいずれか１項に記載の乳房シールドユニット。
【請求項１３】
前記膜（３）が、前記真空ポート（２０）に通じる第一の出口（２２）と、前記負圧室（４０）に通じる第二の出口（４２）を有するポンプ室（４６）に配置される、請求項１２に記載の乳房シールドユニット。
【請求項１４】
請求項１２又は１３に記載の乳房シールドユニットと、真空ライン（８０）と、真空ポンプ（８、８１）とを備える乳房ポンプであって、前記真空ライン（８０）が前記真空ポート（２０）を前記真空ポンプ（８、８１）に接続する、乳房ポンプ。
【請求項１５】
前記乳房ポンプユニットがハウジングシェル（６）を有し、このハウジングシェル（６）が前記膜（３）を包囲し、このハウジングシェル（６）の中に前記真空ポンプ（８１）が配置される、請求項１４に記載の乳房ポンプ。
【発明の詳細な説明】
【技術分野】
【０００１】
本発明は、請求項１、２、３のいずれかのプリアンブルに記載の乳房シールドユニット及び請求項１４のプリアンブルに記載の乳房ポンプに関する。
【背景技術】
【０００２】
ヒトの母乳を搾り出すための装置は良く知られている。手動又は電動の真空ポンプが直接又は真空ラインを介して乳房シールドに接続され、この乳房シールドが乳頭を含む母親の乳房の一部を受容するために使用される。
【０００３】
特許文献１は、真空ポンプと、真空ラインと、ベースと、このベース上に固定させることができる漏斗状の硬い乳房シールドを備える乳房ポンプを開示する。真空ラインは真空ポンプをベースに接続する。真空ラインと真空ポンプを汚染から保護するために、大表面の膜形状のバリアがベースに配置される。この膜はポンプ室に配置され、その中で、ポンプユニットによって発生させられた負圧が膜の反対側に伝達される。
【０００４】
特許文献２は同様にベース部を備えた乳房ポンプを記載し、ベース部に漏斗状の硬い乳房シールドと、真空ポンプに接続するための真空ラインと、ミルク収集容器とを接続することができる。ベース部は同様に真空ラインを保護するために膜を有する。
【０００５】
特許文献３と特許文献４は、いわゆるハンズフリーの乳房ポンプを開示し、ブラジャーの下に装着することができる。乳房接触面が母親の乳房の上に密着して置かれ、同時に真空ポンプの膜としての役割を果たす。即ち、真空ポンプのポンプ室が柔らかい乳房接触面と母親の乳房との間に形成される。
【０００６】
特許文献５は別のハンズフリーの乳房ポンプを開示する。ここでは、小型の乳房シールドがブラジャーの中に配置される。この乳房シールドから、真空ラインが真空ポンプユニットに通じ、ミルクラインがミルク収集容器に通じる。真空ポンプユニットとミルク収集容器はストラップに配置され、母親はこのストラップをウエストに巻き付ける。
【０００７】
特許文献６では、ミルクを収集するための柔軟な袋を硬い乳房シールドに固定して、これら両方をブラジャーに装着する。乳房シールドの上部領域の中に開いている真空ラインが、ストラップにつけられた真空ポンプにつながっている。
【０００８】
特許文献７もまた、ハンズフリーの乳房ポンプを開示する。ここでも、真空ラインは乳房シールドから真空ポンプへつなげられる。このラインは同時にミルクラインとして使用される。
【０００９】
特許文献８は硬い乳房シールドのための支持装置に関し、この支持装置はブラジャーに固定させることができる。
【００１０】
特許文献９は母乳の自然流出を捕えるように設計された乳房シールドを開示する。乳房シールドは柔らかい乳房接触面と、これに接続されたキャップとを有し、ミルクはこのキャップ内に流れ込むことができる。
【００１１】
特許文献１０はヒトの母乳を搾り出すための乳房ポンプを開示し、真空ラインは同時にミルクラインとして使用され、隔膜真空ポンプの膜は媒体分離器としての役目を果たす。
【先行技術文献】
【特許文献】
【００１２】
【特許文献１】国際公開第２００８／０５７２１８号
【特許文献２】国際公開第２０１１／０３７８４１号
【特許文献３】米国特許第７２２３２５５号明細書
【特許文献４】国際公開第２００８／１３７６７８号
【特許文献５】米国特許第６３７９３２７号明細書
【特許文献６】米国特許出願公開第２００８／０２６２４２０号明細書
【特許文献７】米国特許第６４４０１００号明細書
【特許文献８】米国特許出願公開第２００８／００３９７８１号明細書
【特許文献９】米国特許第４２７０５３８号明細書
【特許文献１０】国際公開第２０１１／０３５４４８号
【発明の概要】
【発明が解決しようとする課題】
【００１３】
本発明の目的は、ヒトの母乳を搾り出すための改良された装置を創造することである。
【課題を解決するための手段】
【００１４】
この目的は、請求項１、２、３の特徴を備える乳房シールドユニットによって、及び、請求項１４の特徴を備える乳房ポンプによって達成される。
【００１５】
ヒトの母乳を搾り出すための本発明による乳房シールドユニットは、ヒトの乳頭を受容するための受容部と、乳頭に負圧を印加するための負圧室と、負圧室に負圧を発生させるための膜とを有し、受容部は負圧室に開口している。
【００１６】
本発明によれば、膜は１枚又は複数枚に設計され、少なくとも部分的に受容部を取り囲む。
【００１７】
或いは又は加えて、膜は、受容部の中心軸の延長方向に見て、負圧室の乳頭に面する側に配置される。この位置の指示は、膜が負圧室を乳頭から分離することを意味するのではなく、先行技術で公知のように、膜が中心軸の方向において、負圧室よりも乳頭から遠くに配置されないことを意味する。この負圧室と膜の配置により、コンパクトな乳房シールドユニットの形成が可能となる。
【００１８】
また、或いは又は加えて、本発明による乳房シールドユニットは、負圧室をミルク収集容器に接続するためのミルクポートを有する。負圧室内に負圧を発生させるための膜は、受容部の中心軸の延長方向に見て、このミルクポートの母親の乳房に面する側に配置される。ここでもまた、この位置の指示は、上記の段落で述べたことを再び意味する。前の例と同様の利点がここでもまた達成される。
【００１９】
本発明による乳房シールドユニットは、膜のこの特別な配置のおかげで、非常に小型でコンパクトにすることができる。それでもなお、大表面の膜を使用することができるので、ミルクの搾り出しに必要な負圧を乳房シールドの領域で発生させることを確実にするのに、膜の小さなストロークで十分である。死容積が最小に抑えられる、即ち、乳頭の領域にある負圧室の容積が小さいため、ストロークの必要量もまた低減される。
【００２０】
膜の直径が大きいこともまた、装置の組み立てと、さらに洗浄も容易にする。媒体の分離、即ち、空気又は真空とミルクとの分離もまた膜の大表面により最適に確保される。
【００２１】
膜は１枚又は複数枚に設計することができる。円又は部分的円の形状の開口部を含むことが好ましい。この開口部は中央に配置されることが好ましい。好ましい実施形態では、受容部は開口部を貫通する。
【００２２】
好ましい実施形態では、膜は１枚に形成され、円環形状である。この膜は製造が容易であり、組み立てが容易であり、洗浄が容易であるという利点を有する。また、大きな表面を有する。
【００２３】
別の好ましい実施形態では、膜は少なくとも２つの個別のパーツ、好ましくは３つの個別のパーツから構成される。これらの個別のパーツは、組み立てられた状態では、円又は部分的円を囲む。この実施形態は、乳房シールドユニットの残りの部分の設計を膜の円環形状に合わせる必要がなく、代わりに膜のパーツをユニットの形状に合わせることができるという利点を有する。ポンプ室を膜の分割に応じて分割してもよく、又は連続したポンプ室として設計してもよい。個々の膜パーツは同一の設計にしてもよいし、又は異なる形状と大きさにしてもよい。
【００２４】
別の好ましい実施形態では、単一の膜パーツのみが存在し、その片側に、部分的円形状の凹部を有する。組み立てられた状態では、この凹部は受容部に割り当てられ、受容部がこの凹部を貫通することが好ましい。この凹部と反対側の膜の縁も同様に湾曲していることが好ましい。例えば、膜は腎臓形であってもよい。
【００２５】
その静止位置、即ち、負圧が印加されない状況では、１枚からなる円環状の膜は、母親の乳房の形状に最適に適合させられるように円錐台形状にすることが好ましい。複数枚からなる膜のパーツ及び部分的円として形成された１枚からなる膜は、このような円錐台のパーツとして設計されることが好ましい。膜は柔軟な可撓性材料、特にシリコーンで製造される。６０ショアＡの硬度が好ましい。
【００２６】
膜は膜ハウジング内で移動可能の保持されることが好ましい。この目的のために、例えば、膜はその縁に膜ハウジングの対応する台座部に保持される周囲ビードを有する。
【００２７】
膜ハウジングは複数の部分、特に、乳房側の部分と乳房から遠い部分の２つの部分からなることが好ましい。
【００２８】
好ましい実施形態では、本発明による乳房シールドユニットは、母親の乳房に置くための乳房接触面を有し、この乳房接触面は膜を包囲するハウジングシェルに固定させることができる。ハウジングシェルは、乳房から遠い膜ハウジング部によって、又はこの膜ハウジング部を同様に包囲する部分によって形成することができる。乳房接触面が通常使用される乳房シールドの代わりとなることが好ましい。
【００２９】
好ましい実施形態では、乳房接触面は柔軟な材料、特にシリコーンで製造される。硬度が５０ショアＡであることが好ましい。
【００３０】
好ましい実施形態では、乳房接触面は、乳頭を受容するための円錐台形又は円筒形の第一のスタブ（ｓｔｕｂ）を有し、この第一のスタブは負圧室の第二のスタブに接続させることができ、この第一のスタブと第二のスタブが受容部を形成する。乳房シールドが通常乳輪のみに、場合により隣接組織にも接触するように、円錐台形部は非常に短く、大きな開口角と大きな表面をもつように設計されることが好ましい。
【００３１】
乳房接触面は膜とは別のパーツにすることができ、又はこの膜と一体に接続させることができる。
【００３２】
膜ハウジングは好ましくはハウジングシェルに対して移動可能に保持される。好ましくは、そこに配置させた膜で膜懸架を形成し、これらをこのハウジングシェル内に移動可能に配置する。これは、乳房接触面が使用中に変形した場合、膜ハウジングは変形せず、従ってポンプ室と負圧室、即ち、死容積はその容積に関して変化しないという利点を有する。これにより使用中に均一なポンプ出力が確保される。
【００３３】
本発明による乳房シールドユニットはハンズフリーユニットとして設計でき、ブラジャーの下に装着することができる。好ましい実施形態では、ミルク収集容器をユニットのハウジングに一体化させる、又は、そこに直接連結させることができる。或いは又は加えて、手動制御又はモーター駆動の真空ポンプをハウジングに一体化させる、又はそこに直接接続させることができる。モーター駆動の真空ポンプを使用する場合、電源をハウジングに一体化させる、又はそこに直接接続させることもまた好ましい。
【００３４】
別の好ましい実施形態では、乳房シールドユニットは外部ラインを介してミルク収集容器及び／又は外部真空源に接続される。
【００３５】
その他の実施形態は、従属請求項に記載される。
【図面の簡単な説明】
【００３６】
【図１】図１は、本発明による乳房シールドユニットを備える乳房ポンプの概略図である。
【図２】図２は、図１の乳房ポンプの第二の斜視図である。
【図３】図３は、図１の乳房シールドユニットの分解図である。
【図４】図４は、母親の乳房の上に置かれてミルクポートが開いている場合の図１の乳房シールドユニットの長手方向断面を示す。
【図５】図５は、ミルクポートが閉じている図４の乳房シールドユニットを示す。
【図６】図６は、本発明による乳房シールドユニットの第二の実施形態の分解図である。
【図７】図７は、本発明による乳房シールドユニットの第三の実施形態の分解図である。
【図８】図８は、組み立てた状態の図７の乳房シールドユニットを示す。
【図９】図９は、乳房シールドユニット、一体化されたミルク収集容器、一体化された真空ポンプを備える本発明による乳房ポンプの斜視図である。
【図１０】図１０は、カバーを外した図９の乳房ポンプを示す。
【図１１】図１１は、図９の乳房ポンプの分解図である。
【発明を実施するための形態】
【００３７】
本発明の好ましい実施形態を、図を参照して以下に説明するが、これらの図は、説明のためだけのものであって、本発明を限定するものと解釈されるべきではない。同一のパーツには同一の参照符号を付している。
【００３８】
図１〜５は、本発明による乳房シールドユニット９の第一の実施形態を示す。
【００３９】
乳房シールドユニット９は、ヒトの母親の乳房に置くための乳房接触面１とシェル６を有し、シェル６に乳房接触面１が取り外し可能に固定される。乳房接触面１は好ましくは円形であり、周囲固定用リップ１１がシェル６の周囲固定用フランジ６２を取り囲む。
【００４０】
乳房接触面１は柔軟な弾性材料、特にシリコーンで製造され、母親の乳房の形状に一致する。乳房接触面１は開口部１３を有し、これは円錐台形又は円筒形のスタブ１０で取り囲まれる。この開口部１３は、乳房接触面１の中央に配置されることが好ましい。
【００４１】
シェル６はドーム形又は半球形であることが好ましい。一体であり、剛性であることが好ましい。通常、プラスチック製である。
【００４２】
図１〜５の例示的実施形態では、シェル６は第一の貫通開口６０を有し、これを通って真空ライン８０、ここではシリコーンホースが、乳房シールドユニットの対応するポートに接続される。接続は解除可能であることが好ましい。この真空ライン８０は外部吸引ポンプユニット８につながり、このユニットには真空ポンプが配置される。これはモーター駆動の真空ポンプであることが好ましい。真空ポンプは電源に接続して作動させる（ｍａｉｎｓ−ｏｐｅｒａｔｅｄ）ことができる。加えて又は或いは、電源を吸引ポンプユニットに一体化させてもよい。吸引ポンプユニット８は通常、制御要素と表示部８４を有する。
【００４３】
シェル６には第二の貫通開口６１が設けられる。ミルクライン７０の第一の端部は、ここでも同様にシリコーンホースであり、この貫通開口６１を通って乳房ポンプユニット９のミルクポートに解除可能に接続させることができる。ミルクライン７０の他方の端部は外部のミルク収集容器７に解除可能に接続される。
【００４４】
本発明による乳房シールドユニット９の個々のパーツは、図３に明確に見られる。既に説明した乳房接触面１は、第一の外壁を形成し、シェル６は、ユニット９の反対側の第二の外壁を形成する。これらの間に、乳房側膜ハウジング部２と、膜３と、乳房から遠い膜ハウジング部４と、逆止め弁５、ここではダックビル弁（ｄｕｃｋｂｉｌｌ  ｖａｌｖｅ）とが配置される。
【００４５】
２つの膜ハウジング部２、４は、好ましくは硬い材料、特にプラスチックで製造される。これらはそれぞれ、好ましくは一体に形成される。膜３は好ましくは可撓性材料、特にシリコーンで製造される。好ましい硬度は６０ショアＡである。
【００４６】
個々のパーツは、逆止め弁５を除いて、円形であることが好ましい。乳房接触面１、乳房側膜ハウジング部２及び膜３は好ましくは、互いに位置合わせされて本ケースでは中央に配置された開口部１３、２４、３２を有する。乳房から遠い膜ハウジング部４はスタブ４４を有し、このスタブ４４はこれらの開口部１３、２４、３２と位置合わせされる。
【００４７】
乳房に近い膜ハウジング部２はその外周に複数の、本ケースでは３つの、角度を付けた固定用小穴２３を有する。これらの固定用小穴２３は、乳房から遠い膜ハウジング部４の対応する固定用突起４３の上にかぶせることができる。このようにして、挿入された膜３と組み合わせて、密封された環状のポンプ室４６を備えた閉じた膜ハウジング部２、４が形成される。膜３はこのポンプ室４６に移動可能に保持される。
【００４８】
組み立てられたこの状態は図４及び５で明確に見られる。好ましくは隆起部３３が設けられた１枚からなる環状膜３は、外側及び内側固定用ビード３０、３１を有し、これらのビードは対応する台座部に保持され、適所に固定されて密封作用を有する。これらの台座部は、結合された２つのハウジング部２、４によって形成される。膜３の領域では、２つのハウジング部２、４がポンプ側開口部２２と乳房側開口部４２を有する環状のポンプ室４６を形成する。
【００４９】
ポンプ側開口部２２は、ポート２０に終わる真空チャネル２１を経由して、真空ライン８０に通じる。乳房側開口部４２は接続チャネル４１を経由して負圧室４０に通じる。この負圧室４０は乳房から遠い膜ハウジング部４によって境界が決められ、乳房接触面１の方向に開いている。負圧室４０はミルクポート４５を有し、これは負圧室４０の、接続チャネル４１から遠い端部に配置されることが好ましい。逆止め弁５はこのミルクポート４５に配置される。大気圧に対して真空室４０が過圧になると、逆止め弁５が開き、ミルクライン７０への接続が確立される。真空室４０が負圧になると、逆止め弁５が閉じて、ミルクライン７０への接続が遮断される。逆止め弁５はミルクポート４５又はミルクライン７０に固定的に接続させることができる。
【００５０】
真空室４０は、その開いた領域でスタブ４４に合流する。乳房接触面１のスタブ１０はこのスタブ４４の上にかぶせられる。このスタブ１０はこの目的のために環状の受け溝１００を有する。
【００５１】
ここに見られるように、乳房接触面１は、わずかに漏斗状になった構造のベース部１２と、そこに一体に形成されたスタブ１０を有することが好ましい。このスタブは中心軸Ａを画定する。図４及び５では、乳房接触面１は、乳頭Ｂがスタブ１０とスタブ４４によって形成される受容部内に突出するように、ヒトの母親の乳房上に置かれている。このようにして、負圧室４０のこの開口部は密閉される。
【００５２】
ここで、脈動真空圧又は周波数と強度が変化する真空圧が吸引ポンプユニット８によって発生させられ、真空ライン８０を通ってポンプ室４６に移送されると、膜３はポンプ側開口部２２に引き寄せられてポンプ側開口部２２を閉じる。この状況は図５に示される。膜３の移動によって、負圧がポンプ室４６に、従って、負圧室４０に発生させられる。図５の矢印で表されるように、ミルクが母親の乳房から搾り出される。負圧室４０は少なくとも部分的に母乳で満たされる。
【００５３】
今度は、真空チャネル２１に印加された負圧が乳房ポンプによって発生させられた吸引周期に応じて低減される、又は大気圧までさらに下げられると、膜３は乳房側開口部４２に引き寄せられて乳房側開口部４２を閉じ、従って、ポンプ側開口部２２を解放する。このようにして、負圧室４０内の圧力が上昇し、逆止め弁５が開く。搾り出されたミルクはミルクライン７０を通って流出することができる。この状況は図４に見られる。
【００５４】
膜３もまた、吸引ポンプユニット８によって発生させられた負圧のリズムで動き、従って、負圧室４０へとそのリズムと真空レベルを伝達する。膜３の比較的大きな表面と負圧室４０の小容量のおかげで、ミルクを搾り出すのに必要な負圧を乳頭Ｂの領域内で発生させることを確実にするのに、比較的小さなストロークで十分である。
【００５５】
図６は第二の例示的実施形態を示す。これは、第一の例示的実施形態と基本的に同じパーツを有する。しかし、膜３は複数枚である。ここでは、３つの膜パーツ３’、３’’、３’’’が存在し、これらは膜ハウジング部２、４の対応する台座部に保持され、ここでもまた、ポンプ室内でポンプ側開口部と乳房側開口部の間を行ったり来たり移動することができる。膜パーツ３’、３’’、３’’’は円形の開口部を包囲し、そこを乳房接触面１のスタブ１０と乳房から遠い膜ハウジング部４のスタブ４４がまたしても貫通する。
【００５６】
図７と８は、第三の例示的実施形態を示す。ここでは、膜３は再び１枚に設計されているが、リングの一部の領域のみを形成する。これもまた腎臓形であってもよい。これは２つの前述のスタブ１０、４４を一部だけ包囲する。これに応じて、膜ハウジング部２、４も同様に部分的円の形状の横断面のみを有する。乳房から遠い膜ハウジング部４では、当然ながら断面が丸く、全体に閉じたジャケットを有するスタブ４４が、この部分的円に一体に形成される。シェル６は、乳房から遠い膜ハウジング部４がよく見えるように、図８では透明の形状で示されている。
【００５７】
図９〜１１は別の例示的実施形態を示し、乳房シールドユニットは一体化された吸引ポンプユニット８’を備えた完全な乳房ポンプとして設計されている。乳房接触面１、膜ハウジング部２、４及び膜３は図１〜５の実施形態に対応する。しかし、図６〜８の実施形態をこのようなポンプに使用することも可能である。
【００５８】
しかし、ドーム形のシェル６の代わりに、ここではシェルリング６’が存在する。シェルリング６’はここでもまた剛性で、特にプラスチック製である。シェルリング６’は、乳房接触面１を固定するための周囲固定用フランジ６２を備える開口部を有する。その後面、即ち、乳房とは反対の方向を向く面は、カバー６’’によって部分的に閉じられる。真空ポンプ８１を中に保持するポンプ台座部８２が、このカバー６’’に一体に形成される。電源はこの真空ポンプ８１に一体化されることが好ましい。真空ポンプ８１は、電気モーターによって作動される、公知のタイプのダイヤフラム真空ポンプであることが好ましい。
【００５９】
真空ポンプ８１を起動させるための制御要素８４はカバー６’’の外側に存在する。さらに、乳房ポンプユニットは対応する制御系を備え、この制御系によって、使用者が制御要素８４を介して入力したコマンドが真空ポンプに伝達される。この制御系はハウジング内に別に配置させてもよく、又は、真空ポンプ８１に一体化させてもよい。
【００６０】
ミルク収集容器７’はカバー６’’に隣接する下部領域に配置される。これはカバー６’’と同様にプラスチック製であることが好ましい。係止突起７１はこのミルク収集容器７’に一体に形成され、シェルリング６’の対応する窪み（図示せず）に係合することができる。このようにして、ミルク収集容器７’はシェルリング６’に解除可能に接続される。さらに、ミルク収集容器７’は一体化された弁（図示せず）を備える連結部７２を有し、この弁は乳房から遠い膜ハウジング部４のミルクポート４５に差し込むことができ、搾り出されたミルクは負圧室４０からミルク収集容器７’の内部に流出することができる。この弁は上述の実施形態の逆止め弁５に相当する。目盛り形状の充填レベル指示器７３がミルク収集容器７’上に存在することが好ましい。ミルク収集容器７’は、その全体が透明又は部分的に透明であるか、或いは、目盛り７３の領域に透明又は部分的に透明の窓を有する。
【００６１】
本発明による乳房シールドユニットは、乳房に近接する領域での媒体の分離を可能とする。これは小型で洗浄が容易であり、特に、ブラジャーに装着することができるハンズフリーの乳房ポンプユニットとしての使用に適している。
【符号の説明】
【００６２】
１                乳房接触面
１０      スタブ
１００    受け溝
１１      固定用リップ
１２      ベース部
１３      中央開口部
２        乳房側膜ハウジング部
２０      ポート
２１      真空チャネル
２２      ポンプ側開口部
２３      固定用小穴
２４      中央開口部
３        膜
３’、３’’、３’’’      膜パーツ
３０      外側固定用ビード
３１      内側固定用ビード
３２      中央開口部
３３      隆起部
４        乳房から遠い膜ハウジング部
４０      負圧室
４１      接続チャネル
４２      乳房側開口部
４３      固定用突起
４４      スタブ
４５      ミルクポート
４６      ポンプ室
５        逆止め弁
６        シェル
６’      シェルリング
６’’    カバー
６０      第一の貫通開口
６１      第二の貫通開口
６２      固定用フランジ
７、７’  ミルク収集容器
７０      ミルクライン
７１      係止突起
７２      連結部
７３      充填レベル指示器
８、８’          吸引ポンプユニット
８０      真空ライン
８１      真空ポンプ
８２      ポンプ台座部
８３      ねじ穴
８４      制御要素／表示部
９        乳房シールドユニット
Ａ        中心軸
Ｂ        乳頭
【図１】
2014529312.tif 000003
【図２】
2014529312.tif 000004
【図３】
2014529312.tif 000005
【図４】
2014529312.tif 000006
【図５】
2014529312.tif 000007
【図６】
2014529312.tif 000008
【図７】
2014529312.tif 000009
【図８】
2014529312.tif 000010
【図９】
2014529312.tif 000011
【図１０】
2014529312.tif 000012
【図１１】
2014529312.tif 000013
【国際調査報告】
2014529312.tif 000014
2014529312.tif 000015
2014529312.tif 000016
2014529312.tif 000017
2014529312.tif 000018
2014529312.tif 000019